(57)【特許請求の範囲】
【請求項１】
情報を受信可能な携帯端末であって、
前記携帯端末が使用されている位置に応じた情報を受信する受信手段と、
前記受信手段により受信した情報に関連情報があることを示す表示を含めて前記位置に応じた情報を表示画面に表示する表示手段と、
前記関連情報の表示を指示する指示手段と、
前記指示手段により表示が指示されたとき電話回線を通じて前記関連情報を受信する通信手段と、
前記受信手段により受信した情報に関連情報があることを示す表示がある場合であって、前記指示手段により関連情報の表示が指示されたときに、前記通信手段により受信した第一の関連情報を前記表示画面に表示するように制御し、更に、前記表示画面に表示された前記第一の関連情報に関連した第二の関連情報があることを示す表示がある場合であって、前記指示手段により表示が指示されたとき、前記通信手段により受信した第二の関連情報を前記表示画面に表示するように制御する制御手段と、
を備えていることを特徴とする携帯端末。
【請求項２】
情報を受信可能な携帯端末であって、
ユーザが位置情報を入力することなく前記携帯端末が使用されている位置に応じた情報を受信する受信手段と、
前記受信手段により受信した情報に関連した関連情報の種類を示す表示を含めて前記位置に応じた情報を表示画面に表示する表示手段と、
前記関連情報の表示を指示する指示手段と、
前記指示手段により表示が指示されたとき電話回線を通じて前記関連情報を受信する通信手段と、
前記受信手段により受信した情報に関連情報の種類を示す表示がある場合であって、前記指示手段により関連情報の表示が指示されたときに、前記通信手段により受信した第一の関連情報を前記表示画面に表示するように制御し、更に、前記表示画面に表示された前記第一の関連情報に関連した第二の関連情報の種類を示す表示がある場合であって、前記指示手段により表示が指示されたとき、前記通信手段により受信した第二の関連情報を前記表示画面に表示するように制御する制御手段と、
を備えていることを特徴とする携帯端末。
【請求項３】
前記現在の位置に応じた情報はレストランに関する情報であり、前記関連情報はメニュー情報または予約情報であることを特徴とする請求項１に記載の携帯端末。
【発明の詳細な説明】
【０００１】
【産業上の利用分野】
本発明は、情報を提供・授受する機能に係わり、特に携帯型情報端末装置（携帯端末）を用いて、情報を入手するための技術に関するものである。
【０００２】
【従来の技術】
人が、買物等の目的で街を歩くとき、必要な情報として、街の地理情報、そして地理情報に付随した、お店等の位置及び取り扱い品目の情報等がある。一般には紙で供給される地図を用いて街の状況を把握したり、また専門の雑誌等を用いて、お店のより詳細な情報を把握したりする手段が取られてきた。また、特に車載機器として一般的なナビゲーションシステムは、地理情報に付随して、各地のレストランやお店等の情報がＣＤ−ＲＯＭのような情報媒体を用いて提供され、これを再生することで利用者が地理情報を知ることが出来る。しかし、雑誌やＣＤ−ＲＯＭのような事前に入手する媒体では、記載された情報は少なくとも数時間以上前のものであり、最新の地理情報を得ることは難しい。これに対応して、特に道路の混雑状況をリアルタイムで伝達するシステムとして、ＡＴＩＳ（Ａｄｖａｎｃｅｄ  Ｔｒａｆｆｉｃ  Ｉｎｆｏｒｍａｔｉｏｎ  Ｓｅｒｖｉｃｅ）と呼ばれるシステムが存在する。これは車載ナビゲーションシステムと携帯電話とを接続し、道路の混雑や工事等による不通道路の状況を、携帯電話を用いて日本道路交通情報センターに問合せることで、最新の道路状況の情報を入手することが出来る。
【０００３】
【発明が解決しようとする課題】
しかし、この方法は、情報を入手するために、利用者が情報提供者にアクセスをする必要があり、このアクセスは電話を用いるため１対１で回線を占有する必要があり、アクセスのためのコストがかかる。また、アクセスをかけない限りは情報を入手することが不可能であるという問題があり、情報をより簡便に入手することを可能にするためには、この課題を解決する必要がある。
【０００４】本発明は、情報を簡便に入手することを可能にする携帯端末を提供することを目的とする。
【０００５】
【課題を解決するための手段】
この課題を解決するために本発明にかかる携帯端末は、電話回線を接続可能な通信手段と、前記携帯端末の位置に応じた情報を受信すると、受信した情報を記憶する記憶手段とを備える。そして、記憶された情報と前記情報に関する情報があることを示す表示を表示し、前記関連情報の表示要求が入力されたとき前記通信手段により前記関連情報を受信し、受信した関連情報を表示す。あるいは、前記記憶手段に記憶された情報と前記情報に関する接続情報とを表示し、前記接続情報に応じた接続先との接続要求が入力されたとき前記電話回線を接続するように前記通信手段を制御する。
【０００６】
【作用】
情報提供者は、ＦＭ放送等の電波を用いて情報を発信する。この電波の発信先は不特定多数の受信者であり、その情報の内容は、該当する街の地理状況に関する情報などである。個々の情報は、その情報の種類を示すデータ種別をそのフォーマット内に含む。受信者の持つ携帯端末には、あらかじめ受信者が、自身の必要な情報の種別を登録しておく。携帯端末が情報を受信すると、受信した情報の中のデータ種別と、受信者が登録した必要な情報の種別とを照合し、合致したものが発生すると、その情報を端末装置の記憶装置に記憶、もしくはアラームを鳴らして受信者に必要な情報が発生した旨を知らせるようなプログラムが起動する。
【０００７】
【実施例】
以下、本発明による情報伝達システム及び端末装置及び情報選択方法の実施例を図を用いて説明する。
【０００８】
図１は、本実施例による情報伝達システムの全体の構成を示すブロック図である。情報を発信する放送局１０００から発信される放送情報１０１０は、ＦＭ放送の音声多重チャンネル等を使用した、一方向・不特定多数相手に送信される情報である。利用者１３００が所有する携帯端末１２００は、あらかじめ街の地図情報１１００がＩＣカード等を用いて入力されており、ディスプレイに街の地図を表示することが出来るようになっている。そしてこの携帯端末１２００は、放送局１０００が放送する放送情報１０１０を受信することが出来、通常の音声放送はヘッドホン１５００を用いて利用者１３００が聴くことが出来る。ここで放送情報１０１０には、街に関する情報、例えばお店で売っている商品や、レストランの情報等を含むあらゆる情報が入っており、携帯端末１２００は、この放送情報１０１０を受信すると、受信した情報の中から利用者１３００が欲している情報を選び出し、利用者に情報の発生及びその内容を知らせる等の動作を行う。その動作の一例として、携帯端末１２００に接続した携帯電話１４００を用いて、情報の発信元に電話をかけて、直接に最新情報を入手したり、購買や食事の予約等の操作を行うことが出来る。
【０００９】
図２は、本実施例による情報伝達システムで使用する携帯端末の内部の情報の流れを示すブロック図である。図１に於ける放送情報は、携帯端末に受信された後、必要な復調が行われ、伝送情報２１０１として携帯端末の内部に入力される。伝送情報は、図１の説明の如く各種の情報を含んでいるが、その情報の内部には情報の種類を表わす種別情報が含まれている。これを種別情報読取２１００で解読し、情報の種別に応じた動作を指示するための、種別制御指示２１０２を発信する。伝送情報２１０１は種別情報が読取られた後、フィルタ２０００に入力される。フィルタ２０００は、種別制御指示２１０２の指示に従って、伝送情報をより分ける。具体的には、記憶装置２３００に記憶し、ビュアー２２００で表示情報とすべき情報を通過させ、それ以外の情報を捨てることで、利用者に不要な情報が行かないように情報の選別を行う。フィルタ２０００は、ビュアー２２００で表示情報とすべき情報を指定するための指示を、種別制御指示２１０３としてビュアー２２００に与える。記憶装置２３００に記憶された利用者が必要とする情報は、ビュアー２２００に送られる。ビュアー２２００はフィルタ２０００から与えられた種別制御指示２１０３を受けて、表示すべき情報を、表示情報２２０１として出力する。また、ここには図示しないタイマーや利用者からのリクエストスイッチからの命令があり、種別制御指示２１０２に従って即時に利用者に情報を表示、また一定の時間を経て表示、もしくは利用者が情報を読みたいとリクエストしたときに初めて表示するという動作を行う。また、時報等の記憶不要な表示２００１は、記憶装置２３００を経由せずに直接ビュアー２２００に送られ、この場合は即時利用者に表示情報２２０１として提供される。このブロック図における種別情報読取２１００、フィルタ２０００、ビュアー２２００は、図４の説明において後述するメモリに格納された図示せぬプログラムを、ＣＰＵにおいて実行することにより実現することができる。
【００１０】
図３に、本実施例による情報伝達システムが送信する情報の内容の例を示す。転送データ３０００は、図２における伝送情報２１０１の中の１つのレコードを表わす。本実施例による転送データ３０００の例の内容は、ヘッダ３０１０、データ種別３０２０、データ属性３０３０、データ長３０４０、データ本体３０５０、パリティ３０６０により構成される。ヘッダ３０１０は、転送データ３０００を構成する他の項目には存在しないユニークなコードであり、受信側が確実にヘッダの位置を確認することが出来る。ヘッダ３０１０に続くデータ種別は、この転送データの種類を表わす。種別情報は例えば３０２１に示すような、緊急情報、道路情報、紳士洋装等の道やお店に関する情報や、具体的な商品に関する種別にも及ぶ分類が行われる。この分類を用いて、図２で説明したフィルタが動作し、利用者が必要な情報を選び出す。データ属性３０３０が、この転送データ３０００の中のデータ本体の属性を示す。属性情報は例えば３０３１に示すように、データ本体の内容を示し、データ本体がテキスト形式である場合、画像が付属している場合、また後述するレストランの予約手順等の手順書が付属している場合等である。続いて転送データ３０００内の本文であるデータ本体の長さを示すデータ長３０４０、そしてデータ本体３０５０に続いて、転送データ３０００が確実に受信されているかどうかをチェックするために、データ種別からデータ本体までの文字コードの総和を示すパリティ３０６０を付加して、転送データ３０００の一つのレコードが完結する。ここで、本実施例による転送データ３０００はデータ本体３０５０の長さが可変長であるため、全体の長さも可変長である。ここで転送データ３０００の長さを固定長として、同一のレコードを複数回繰返し送信する方式とすれば、受信側は転送データ３０００の途中、例えばデータ属性から受信を始めても、そこから１レコードの長さに区切ってデータの受信を行い、ヘッダ３０１０を検出することで、データの並べ替えを行い、ヘッダからの受信ではなく、レコードの途中からの受信でも、一つのレコードの受信を１レコード長さの受信だけで完結することが出来る。
【００１１】
データ本体３０５０の内容の例をデータ本体情報３０５１に示す。地図上に表示するお店のアイコンデザイン、テキストの先頭を示すテキストヘッダ、お店の案内を記載したテキスト本文、画像が存在する場合は画像データの先頭を示す画像ヘッダ及び画像データの長さ、画像データ本体、そして手順データの先頭を示す手順ヘッダ及び手順データである。ここで手順データは、図７に於いてその動作を説明するが、基本的に指定したメッセージを有するウィンドウを表示する関数の呼出し、ウィンドウ内に指定したボタンを押したときに行う次の手順の設定、携帯端末に電話が接続されているときは、自動的に電話をかけて、ホストにアクセスをする等の関数の呼出しを有する。各関数は携帯端末自身がライブラリとして有しており、それらは個々の携帯端末のハードウェア、ソフトウェアに適合した動作を行うが、呼出し方式を統一して、いかなる携帯端末でも受信した手順データを実行できる構成としている。
【００１２】
図４は、本実施例による携帯端末のハードウェア構成を示すブロック図である。ＣＰＵ４０００を中心に、バス４０５０の回りに、メモリ４０１０、ディスプレイ４０２０、タッチパネルＩ／Ｆ４０３０、ＩＣカードＩ／Ｆ４０４０、ラジオ４０７１及び受信信号の復調回路４０７０、電話等の通信手段４０８１及び変・復調回路４０８０、受信した放送を聞くためのヘッドホン４０９１と、音声出力手段４０９０、そしてメッセージを音声に割込ませて利用者に提供するための音声合成回路４０９２等が設置されている。
【００１３】
メモリ４０１０には、図５で後述するフィルタ情報４０１１、そして該フィルタ情報を用いて選択された取得情報４０１２等が記憶される。ディスプレイ４０２０は、利用者に地図や、お店等に関する情報を表示する。本実施例では、端末装置への利用者からの入力はディスプレイと一体のタッチパネルを用い、そのためのタッチパネルＩ／Ｆ４０３０を備える。これは、通常のパソコンの如くキーボードやマウス等でも同様な操作を行うことが出来ればよい。ＩＣカードＩ／Ｆは図１で説明した地図情報を入力するのに利用する。
【００１４】
端末に入力される放送情報は、ラジオ４０７１で検波され、復調回路４０７０でディジタル信号に変換される。本実施例では音声放送もディジタルで送られてくる場合にも対応して、ディジタル信号を音声出力手段４０９０を用いて音声信号に戻し、ヘッドホン４０９１で聞く構成としているが、これはラジオ４０７１により検波された信号を直接、図示しないアンプ等を通じてヘッドホン４０９１で聞いても良い。復調回路４０７０で復調されたディジタル信号はメモリ４０１０内のフィルタ情報と照合され、必要な情報のみが選択されて取得情報４０１２に記憶されたり、ディスプレイ４０２０に表示されたりする。また、緊急を要する情報の場合等、ディスプレイ４０２０への表示だけではなく、音声合成回路４０９２を用いて、利用者が聞いているヘッドホンにアラームやメッセージ等の音声を流すことが出来る。さらに、入手した情報に応じて利用者が情報元などに連絡をしたいときは、携帯電話や公衆電話等の通信手段４０８１に、変・復調回路を経由して通信を行うことが出来る。
【００１５】
図５は、本実施例による携帯端末のフィルタの構造と、動作を示した説明図である。フィルタはフィルタテーブル５０００に、その優先順位の順番に記載される。０番目には必ず災害の通報等に用いられる緊急情報が記載され、これは他の順番に移動することは出来ない構造とする。１番目以降は利用者が希望するキーワードを順番に並べる。この場合利用者は街で帽子、傘の順に買物をしたいので、帽子、傘に関する情報を重視する。以下、道路工事等による行き止まりの道の情報等を示す道路情報、バザー、靴の情報と並ぶ。このフィルタテーブルに記載した情報は、すべて図４におけるメモリに記憶する。フィルタテーブル５０００の中の特定の場所を示すイベントしきい値５０１０が存在する。イベントしきい値は、このしきい値以上の優先順位の情報が受信されたとき、メモリへの情報の記憶だけではなく、利用者の情報の発生（イベント）を知らせる等の何らかの手順を起動することを示すしきい値である。本例の場合、イベントしきい値５０１０は、１番目の帽子の下に設置されており、帽子に関する情報が発生すると、端末表示画面５０２０に、イベント通知ウィンドウ５０３０が開き、利用者に帽子に関する情報が発生した旨、併せて受信したお店に関する情報を伝達する。また、イベントしきい値５０１０は、０番目の緊急情報より上に設置することは出来ない構造とし、緊急情報の発生は必ず利用者に伝達する構成としている。フィルタテーブル５０００に記載する種別情報は、利用者が直接入力する他に、ＧＰＳ（Ｇｌｏｖａｌ  Ｐｏｓｉｔｉｏｎｉｎｇ  Ｓｙｓｔｅｍ）等の場所を検出するデバイスから自動的に、携帯端末の現在位置をキーワードとして入力することも出来る。これにより後述する緊急事態の情報の伝達も、端末近辺の緊急事態を優先して受信するという手順を踏むことが出来る。また種別の設定は、複数のキーワードの論理演算結果、例えば（傘）ＡＮＤ（天候＝雨）という形で指定しても良い。ここで携帯端末が有する利用者のパーソナル情報、性別、趣味、年齢というキーワード等を自動的に利用して論理演算しても良い。
【００１６】
図６は、図５で説明したイベント通知ウィンドウの地図との連携機能を示した説明図である。端末表示画面６０００にて、図５と同様に帽子に関する情報が発生した旨を利用者に知らせるイベント通知ウィンドウ６０１０が開いて、利用者にイベントの発生を知らせている。ここで、ウィンドウの中の地図ボタンをタッチすることで、端末表示画面６０２０に切り替わり、イベント通知ウィンドウ６０１０で知らせてきたお店の場所を地図上に表示する。これは図３に於けるデータ本体の中にお店の座標を入れておき、携帯端末はこの座標値に、同じく図３のデータ本体情報のアイコンデザインに基づいた図形を表示すれば良い。ここで、携帯端末の表示機能では、画素数や色数の限定により転送されたアイコンが表示出来ない場合は、端末がアイコンデザインを独自にデコードするか、端末自身が有する独自のアイコンを表示すれば良い。
【００１７】
図７は、図３で説明した放送情報に乗った手順書を実際に使用する実施例を示した説明図である。本実施例は、利用者がレストランを探して、その予約を行いたい場合を想定している。端末表示画面７０００で、利用者は希望のレストランがあった旨を、イベント通知ウィンドウ６０１０を用いて知る。ここで、例えばこのレストランに興味がなければ、例えばイベント通知ウィンドウ７０１０以外の部分をタップすることで、これ以降の手順を中止することが出来る。ここでこのレストランに興味がある場合は、予約ボタンにタッチすると、端末表示画面７０２０に移行し、図６の説明の如く、レストランの場所を示す地図を表示する。さらに予約ボタンを押すと、予約メニュー７０３０が表示され、詳細な予約を行うことが出来る。予約メニュー７０３０では食事をする日付、時刻、人数の設定、そして示されたメニューリストから注文することが出来る。これらの設定をエディタ形式で設定した後、予約ボタンをタッチすることで、予約メニュー７０４０が表示され、予約内容の確認が行われる。ここで予約を取り消したいときは取消ボタンをタッチ、予約を行いたいときは完了ボタンをタッチすることで予約手順が完了する。これらの手順及びメニュー画面は、図３のデータ本体情報３０５１内の手順データに記載されている。ここで図示しないが、先に一度は予約手順を中止したものも、予約手順を含むデータは携帯端末のにメモリに記憶されているので、例えば図示しないメモリに記憶した情報のリストを表示し、それを選択することで、後にこの予約手順を呼び出して、改めて予約を行うことも可能である。この操作は、利用者が予約ボタンをタッチした段階で、携帯端末に接続されている電話を用いて、レストラン自身もしくはレストランが依託している情報管理コンピュータに接続し、上記の予約のやり取りを行う。また、携帯端末に電話が直接接続されていない場合でも、ディスプレイに予約方法を表示することで、利用者は携帯端末のディスプレイを見ながら、近隣の公衆電話等を用いてお店と直接会話をすることで、予約を行うことが出来る。
【００１８】
放送情報に含まれた手順の実行の他の例として、図１に於ける放送の受信の選択機能も挙げられる。放送情報がＦＭ放送の文字多重チャンネルで送信され、受信する携帯端末がＦＭの音声放送を受信する機能を有する場合、放送情報はＦＭの音声放送の番組情報を送信し、利用者は番組情報を携帯端末のディスプレイでチェック、聴きたい放送局を選択して聴くことが出来る。また、概略のジャンル（ロック、ポップス等）をあらかじめ登録しておくと、自動的にそのジャンルの音楽を流す局にチューナーが切り替わるという連携動作も可能である。
【００１９】
また、レストランの予約や商品の予約購入等を、あらかじめ利用者が設定した条件に合致したら自動的に予約や購入手続きを行い、別途予約や購入手続きが完了した旨を利用者に知らせる、自動連携システムも可能である。この場合、一定以上の金額の場合は他の条件が成立しても自動手続きをせずに、キャンセルもしくは利用者に必ず知らせて、Ｏｋのボタンを利用者が押さない限りは予約や購入手続きを取らないような工夫も必要である。
【００２０】
図８は、緊急情報を受信したときの携帯端末の動作を示す説明図である。緊急情報を受信した携帯端末は、その端末表示画面８０１０に、緊急情報表示ウィンドウ８０３０を開く。これは緊急情報が受信されると、図５の説明で述べた如く、利用者は緊急情報を必ず見るような構造となっており、利用者の設定に係わりなく緊急情報表示ウィンドウ８０３０が必ず表示される。ここでは、近くの駅で火災が発生した旨を知らせており、避難場所表示ボタン８０４０をタッチすることで、端末表示画面８０２０に遷移、火災現場や、特に救護施設等を設置した避難場所を表示する。もしくは、避難場所表示ボタンをタッチしなくても、緊急情報表示ウィンドウ８０３０の表示と同時に、避難場所の地図に切換えることも可能である。
【００２１】
図９は、災害情報の受信に関する被災者情報を受信する携帯端末の動作を示す説明図である。携帯端末に図５のフィルタと同様な方法で、安否を知りたい人の名前を登録しておく。地震や火災等の大規模災害が発生した時は、従来でもテレビジョン放送やラジオ放送で、被災者の名前と状況を読み上げているが、これを本実施例による放送情報で流し、携帯端末はその情報を受信する。災害情報が放送されているときは、携帯端末の端末表示画面９０００には、災害情報モニタ中を示すメッセージ９０２０が表示されている。放送された災害情報の中に、先に登録した安否を知りたい人の名前を発見すると、携帯端末は端末表示画面９０１０に、負傷者情報表示ウィンドウ９０４０を開き、指定した人の安否情報を利用者に知らせる。ここで登録する安否を知りたい人の名前は、携帯端末がすでに有している住所録のすべての名前や、住所録に指定のマークをつけた人の名前を自動的に登録しても良い。また、被災者が運ばれた病院の場所を地図上に表示したり、特に親族の場合等で緊急に連絡が必要な場合に対処して、図７のレストランの予約と同様に、病院や被災者への連絡先との電話連絡の連携を行う構成を持っても良い。
【００２２】
図１０は、本発明による情報伝達システムを用いて、地図の最新情報を伝達する実施例を示した説明図である。図１０（ａ）に於いて、端末表示画面１００００には、図１で説明したように、あらかじめ携帯端末１２００に入力された地図情報１１００が表示されている。このデータのフォーマットは、例えば図１０（ｂ）に示す如く、緯度・経度等の地球上の絶対値で表現される絶対座標１０３００と、ある特定の縮尺で画面表示する時の表示座標１０４００、そして各道の太さ、国道／一般道の区別をする種別、後述する通行の可否等を示す属性１０５００を対にして構成されている。ここで属性１０５００は、対応する座標を始点とする道に関する属性を示す。携帯端末の有する地図データは、これらのデータを各縮尺毎に、もしくは表示座標及び属性を各縮尺毎に、もしくは表示座標を表示する縮尺を変更する度に計算する形で有しているが、これはあらかじめ携帯端末に入力された情報であり、利用者が携帯端末を持って歩いている、その時点での最新の情報ではない。具体的には図１０（ａ）の端末表示画面１０１００のように、ある特定の期間だけ、一つの道が工事等により通行止めになっている場合は、この地図データには反映されていない可能性がある。本実施例では、放送情報を用いて、最新の地図情報を携帯端末に提供する。具体的には図１０（ｃ）のような線分と、新たな属性を対として送信し、この情報を受信した携帯端末は、この情報を自身が有する地図情報データの末尾に付加し、表示する。従ってこの時点では、通行止めの道は一度通行可能な状態で表示された後、地図情報末尾のデータをメモリから読み出した時点で、図１０（ａ）の端末表示画面１０１００のように通行不可の表示がなされる。そして携帯端末の電源オフ時等の、ＣＰＵが空いた時にメモリ内の地図情報をソートして、最新地図情報を組み込む。
【００２３】
図１１は、お店やレストランの情報や地図情報を含む、一般的な情報に於いて、携帯端末があらかじめ入手する情報を、事前に更新する方法を示した説明図である。本実施例による情報伝達システムに用いる携帯端末は、事前に地図情報や、概略のお店の情報を持つことが出来る。図１１に於いて、事前に入手する情報は、図１に示したＩＣカードのような媒体を用いる他に、ホスト１１０００より電話回線１１０１０を通じて、直接携帯端末１１０２０で受信、もしくはパーソナルコンピュータ（ＰＣ）１１０４０で一度受信を行い、ＰＣに付属のハードディスクドライブ（ＨＤＤ）１１０５０に記憶された後、携帯端末１１０３０に送られる形式をとる。そのデータのフォーマットは、１１０６０の如くであり、そのデータのバージョン番号を先頭に、すべての地図等の基礎となる元データが入っている。初めて携帯端末でこのサービスを利用する利用者は、少なくとも一度はこの元データを入手する必要がある。その後の最新情報は、図１のように放送情報を用いて入手する方法の他に、ホスト１１０００と電話回線１１０１０を通じて直接入手する方法がある。両者とも差分データ１１０７０を受信することで、最新情報を少ない通信量で入手することが出来る。入手した差分データ１１０７０は、元データ１１０６０に追加され、バージョンアップデータ１１０８０として使用される。このデータ内での差分データ１１０８１は、データの最後尾に追加されるが、これは図１０の説明の如く、ＣＰＵが余裕がある時や、ＰＣ１１０４０内で適時ソートされる。
【００２４】
図１２は、元データにバージョンアップとして差分を追加する方法を示した説明図である。１２０００は元データに差分を追加した標準的な例であり、差分１、差分２、差分３と順次差分データが追加されている。しかし本実施例による放送情報を用いて差分の追加を行った場合、電波状況が悪いなどの理由で、途中の差分を受信ミスをする可能性がある。１２０１０は差分２の受信をミスした例であり、この場合、差分２以降のデータを利用することが出来なくなる。本実施例では、途中の差分が抜けても、それ以降の差分データを利用することが可能であるデータ構造を持つことを特徴とする。即ち元データに最初の差分１をつけた場合は、１２０３０のように、元データ＋差分１の形で利用される。次に差分２を受信するときは、差分２のデータは必ず差分１を含んでおり、差分２だけを受信してもバージョンアップが可能になる。ここで差分２は、差分１＋差分２−（差分１における不要となったデータ）という形になる。また、特に金額など絶対値が重要である情報は差分しない方式をとり、トラブルを防ぐ構造とする。さらに、緊急情報は確実に受信する必要があり、元データを持っていなくても受信可能としなければならないので、差分方式ではなく必ず全データを送信する構造とする。
【００２５】
図１３は、図７に於ける放送情報の受信と予約手順の連携に於いて、情報元の詳細情報を再度確認するために、電話による通信時に情報伝送を受ける方式を示した説明図である。端末表示画面１３０００に於いて、希望するレストランが発見され、イベント表示ウィンドウ１３０１０にて利用者に表示される。予約ボタンをタッチすることで端末表示画面１３０２０にて場所の表示を行うところまでは、図７の説明と同一であり、ここでは説明を省略する。本実施例では端末表示画面１３０２０で、情報ボタンを押すことで、そのレストランに関する情報を改めて電話回線を通じて入手し、確認する機能を有することを特徴とする。具体的には端末表示画面１３０２０で、情報ボタンを押すと、携帯端末は放送情報に記載されたレストラン自身の電話番号、もしくはレストランが情報の配布を依託しているホストコンピュータに電話をかけ、通信回線を接続し、このレストランに関する詳細な情報１３０３０、１３０４０を入手する。利用者はこの１頁もしくは複数頁の情報を読み、その後予約するかどうかを判断して予約ボタンを押し、図７の説明と同様に予約手順に入る。
【００２６】
図１４は、以上の本実施例による情報伝達システムの携帯端末の動作フロー例である。まず、図１の地図情報や、図１１に於けるバージョン＃１の基本データを入手（１４０００）、次に図５に示したフィルタ情報を入力（１４０１０）、そしてデータの受信を開始する。受信データが発生（１４０２０）すると、図２の如くまず受信データの種別をチェック（１４０３０）し、受信データの種別に応じて、それぞれにあらかじめ定められた手順を実行する（１４０４０）。本実施例では手順は、受信情報のメモリ（１４０５０）、受信情報の表示（１４０６０）、受信情報の発生を利用者に伝えるアラーム（１４０７０）、そして、各受信情報自身が有する手順書の実行２（１４０８０）である。これらの手順を必要に応じて一つもしくは複数行う。ここで表示１４０６０は、図５のイベント通知ウィンドウ５０３０の如く、ダイアログウィンドウを表示し（１４０９０）、ダイアログ内のボタンの入力待ち（１４１００）で構成される。このボタンの入力待ちは、タイマーにより一定時間の入力がなければ自動的にウィンドウの表示が終了される。
以上のように本実施例によれば、利用者が街を歩いているときに、その街に関する最新の情報を、利用者からアクセスすることなく自由に入手することが出来る。そしてこの際、情報を一方向・不特定多数相手に送信することで、利用者の携帯端末とホストとの間を携帯電話のような１対１の占有回線で結ぶ必要がなく、多数の利用者が同時に情報を入手することが可能となる。さらに、端末内で受信データのフィルタリングを行うことで、利用者から見れば、利用者がリクエストした情報のみが入手出来た形を取ることが出来、利用者は不要な情報を自分で排除する必要がない。そして、受信した情報の種類に応じた手順を自動実行することで、情報の取りあえずのメモリへの保存や、即時利用者に情報を提示する緊急情報の伝達、そして入手した情報を元にレストランの自動予約手順といった連携を取ることが出来、利用者にとって使いやすい情報伝達システムを提供することが出来る。
【００２７】
【発明の効果】
本発明によれば、情報を簡便に入手可能な情報伝達システムを提供することができる。
【図面の簡単な説明】
【図１】本発明の実施例による情報伝達システムの全体の構成を示すブロック図である。
【図２】本発明の実施例による情報伝達システムで使用する携帯端末の内部の情報の流れを示すブロック図である。
【図３】本発明の実施例による情報伝達システムが送信する情報の内容の例を示した説明図である。
【図４】本発明の実施例による携帯端末のハードウェア構成を示すブロック図である。
【図５】本発明の実施例による携帯端末のフィルタの構造と、動作を示した説明図である。
【図６】イベント通知ウィンドウの地図との連携機能を示した説明図である。
【図７】放送情報に乗った手順書を実際に使用する実施例を示した説明図である。
【図８】緊急情報を受信したときの携帯端末の動作を示す説明図である。
【図９】被災者情報を受信する携帯端末の動作を示す説明図である。
【図１０】地図の最新情報を伝達する実施例を示した説明図である。
【図１１】携帯端末があらかじめ入手する情報を、更新する方法を示した説明図である。
【図１２】元データにバージョンアップとして差分を追加する方法を示した説明図である。
【図１３】放送情報の受信と予約手順の連携に於いて、情報元の詳細情報を再度確認するために、電話による通信時に情報伝送を受ける方式を示した説明図である。
【図１４】本発明の実施例による情報伝達システムの携帯端末の動作フローチャート例である。
【符号の説明】
１０００  放送局
１０１０  放送情報
１１００  地図情報
１２００、１１０２０、１１０３０  携帯端末
２０００  フィルタ
３０００  転送データ
３０２１  種別情報
３０５１  データ本体情報
５０００  フィルタテーブル
５０１０  イベントしきい値
５０３０、６０１０、７０１０、１３０１０  イベント通知ウィンドウ
７０３０、７０４０  予約メニュー
８０３０  緊急情報表示ウィンドウ
９０４０  負傷者情報ウィンドウ
１０３００、１０６００  絶対座標
１０５００、１０７００  属性
１１０００  ホスト
１１０１０  電話回線
【図１】
0003583100.tif 000002
【図２】
0003583100.tif 000003
【図３】
0003583100.tif 000004
【図４】
0003583100.tif 000005
【図５】
0003583100.tif 000006
【図６】
0003583100.tif 000007
【図７】
0003583100.tif 000008
【図８】
0003583100.tif 000009
【図９】
0003583100.tif 000010
【図１０】
0003583100.tif 000011
【図１１】
0003583100.tif 000012
【図１２】
0003583100.tif 000013
【図１３】
0003583100.tif 000014
【図１４】
0003583100.tif 000015